(57)【要約】【課題】可燃性冷媒を用いた冷蔵庫の電装品収納部に関し、可燃性冷媒が冷媒配管から漏洩した場合の安全性を高める。【解決手段】冷蔵庫１１を運転制御する電装部品を収納する収納ケース１５を、制御基板１６を収納する基板収納部１７と電気配線２７を収納する電気配線収納部１８とに区画するとともに、収納ケース１５を覆うカバー２０を有し、基板収納部１７の外周とカバー２０との間にシール材１９を設けたことにより万が一、可燃性冷媒が漏洩した場合でも着火源となりうる基板収納部１７への侵入を防止できる。【選択図】　図２
2004125210.tif 000002
【特許請求の範囲】
【請求項１】
可燃性冷媒を封入した冷蔵庫において、冷蔵庫を運転制御する電装部品を収納する収納ケースを、制御基板を収納する基板収納部と電気配線を収納する電気配線収納部とに区画するとともに、前記収納ケースを覆うカバーを有し、前記基板収納部外周と前記カバーとの間にシール材を設けたことを特徴とする冷蔵庫。
【請求項２】
シール材は難燃性で独立気泡体からなる弾性部材としたことを特徴とする請求項１に記載の冷蔵庫。
【請求項３】
シール材をカバー側に設けたことを特徴とする請求項１または２に記載の冷蔵庫。
【請求項４】
シール材を貼り付けるカバーに位置決め用の突起部を設けたことを特徴とする請求項３に記載の冷蔵庫。
【請求項５】
シール面を構成するシール材は複数の直方体からなり、シール面の屈曲部は直方体シール材を突き合わせて配置することを特徴とする請求項１から請求項４のいずれか一項に記載の冷蔵庫。
【請求項６】
収納ケースを覆うカバーの固定手段をシール材よりも外周縁に設けたことを特徴とする請求項１から請求項５のいずれか一項に記載の冷蔵庫。
【請求項７】
カバーの固定手段は複数のビスとし、収納ケースのビス受け部を台座形状としたことを特徴とする請求項６に記載の冷蔵庫。
【請求項８】
冷蔵庫本体から収納ケース内に延出する電気配線の冷蔵庫本体との連通部と、収納ケース切り欠き部とに配置する電気配線の外周にそれぞれシール材を設けたことを特徴とする請求項１から請求項７のいずれか一項に記載の冷蔵庫。
【請求項９】
収納ケース切り欠き部は収納ケースの上面に設けたことを特徴とする請求項８に記載の冷蔵庫。
【請求項１０】
収納ケースの電気配線収納部下面に水抜き穴を設けたことを特徴とする請求項１に記載の冷蔵庫。
【請求項１１】
冷蔵庫本体から収納ケースの電気配線収納部底面を連通して電気配線を延出させたことを特徴とする請求項１に記載の冷蔵庫。
【発明の詳細な説明】
【０００１】
【発明の属する技術分野】
本発明は、可燃性冷媒を用いた冷蔵庫の電装部品の収納構造に関するものである。
【０００２】
【従来の技術】
近年、冷蔵庫も高機能化が進み、電子制御が一般的になり、電装部品の専用収納部が設けられている。（例えば、特許文献１参照）
以下、図面を参照しながら上記従来の冷蔵庫を説明する。
【０００３】
図１０は、従来の冷蔵庫の縦断面図であり、図１１がその要部拡大図、図１２が外箱・後板・箱体の構成を示す分解図である。
【０００４】
図において、１は冷蔵庫本体、２は冷蔵庫の外郭を形成する外箱、３は外箱２背面の鋼板製の後板、２ａは外箱２天面に開放した切り欠き部、３ａは後板３上部の切り欠き部、４は切り欠き２ａ、３ａを閉塞し鋼板で形成され天面・後面が開放した箱状を成す箱体、５は合成樹脂製の内箱、６は外箱２、内箱５、箱体４間に充填発泡された断熱材、７は箱体４の電装部品収納部４ａのボス４ｂにネジ１０により取り付けた制御基板等の電装部品、８は鋼板を成形し箱体４の開放部を閉塞する閉塞板、９は閉塞板を外箱２、後板３に固定するネジである。
【０００５】
次に動作について説明する。電装部品収納部４ａに収納される電装部品７は、冷蔵庫の運転時に通電され発熱するので、この熱を効率的に庫外に排出する必要がある。電装部品収納部４ａは上面、後面が開放し、この開放部を鋼板製の閉塞版８で閉塞しているので熱伝導が良く、かつ閉塞板８の表面積が広いので排熱が効率的に行える。又閉塞板８は梱包時の荷役の踏みつけ等の外圧に耐える十分な強度を有する鋼板で形成されている。
【０００６】
【特許文献１】
特開平５−８７４４３号公報
【０００７】
【発明が解決しようとする課題】
しかしながら上記従来の冷蔵庫は、電装品収納部４ａが鋼板の成形品である箱体４と閉塞板８で構成されるため、密閉性が低く、機械室近傍に同様の構成を用いると、可燃性冷媒が冷媒配管から漏洩した場合に、電装品収納部４ａ内に可燃性冷媒が進入しやすく、電装部品接点のスパーク等により不安全になるという問題を有している。
【０００８】
本発明は上記従来の課題を解決するもので、冷凍サイクルに可燃性冷媒を用いても、不安全状態にならない冷蔵庫を提供することを目的とする。
【０００９】
【課題を解決するための手段】
本発明の請求項１に記載の冷蔵庫の発明は、可燃性冷媒を封入した冷蔵庫において、冷蔵庫を運転制御する電装部品を収納する収納ケースを、制御基板を収納する基板収納部と電気配線を収納する電気配線収納部とに区画するとともに、前記収納ケースを覆うカバーを有し、前記基板収納部外周と前記カバーとの間にシール材を設けたものであり、前記基板収納部外周と前記カバーとの嵌合部のひずみ・変形等のばらつきを前記シール材が吸収し、万が一、可燃性冷媒が漏洩した場合でも着火源となりうる基板収納部への侵入は防がれる。そして収納ケースを制御基板を収納する基板収納部と電気配線を収納する電気配線収納部とに区画しているので、基板収納部への可燃性冷媒侵入の機会を減らすことができ安全性が高まる。
【００１０】
請求項２に記載の発明は、請求項１に記載の発明において、シール材は難燃性で独立気泡体からなる弾性部材としたものであり、気体透過性を低くできるとともに、ひずみ・変形等のばらつきを弾性部材が吸収し、安全性がさらに高まる。
【００１１】
請求項３に記載の発明は、請求項１または請求項２に記載の発明において、シール材をカバー側に設けたものであり、カバー側の広い平面部を貼り付け代に利用することで、基板収納部外周とカバーとの嵌合部のずれを吸収でき安全性がさらに高まる。
【００１２】
請求項４に記載の発明は、請求項３に記載の発明において、シール材を貼り付けるカバーに位置決め用の突起部を設けたものであり、シール材の貼り付け時の位置決めがしやすく、作業効率が向上する。
【００１３】
請求項５に記載の発明は、請求項１から請求項４のいずれか一項に記載の発明において、シール面を構成するシール材は複数の直方体からなり、シール面の屈曲部は直方体シール材を突き合わせて配置するものであり、屈曲部にシワや隙間が生じることなく確実なシール面を確保できる。
【００１４】
請求項６に記載の発明は、請求項１から請求項５のいずれか一項に記載の発明において、収納ケースを覆うカバーの固定手段をシール材よりも外周縁に設けたものであり、固定手段によりシール材を破損してしまうことがなく、確実なシール面を確保できる。
【００１５】
請求項７に記載の発明は、請求項６に記載の発明において、カバーの固定手段は複数のビスとし、収納ケースのビス受け部を台座形状としたものであり、収納ケースとカバーの間に均一なクリアランスを形成することができ、シール材を最適な圧縮率で使用することができ、シール信頼性が向上する。
【００１６】
請求項８に記載の発明は、請求項１から請求項７のいずれか一項に記載の発明において、冷蔵庫本体から収納ケース内に延出する電気配線の冷蔵庫本体との連通部と、収納ケース切り欠き部とに配置する電気配線の外周にそれぞれシール材を設けたものであり、電気配線が収納ケース外周を横切る場合においても収納ケースとカバーとの間にシール面を形成することができ、収納ケース内のシール信頼性が向上する。
【００１７】
請求項９に記載の発明は、請求項８に記載の発明において、収納ケース切り欠き部は収納ケースの上面に設けたものであり、可燃性冷媒は空気よりも比重が重いので、冷媒が漏洩した場合においても、隙間が生じやすい切り欠き部からの侵入機会を低減できる。
【００１８】
請求項１０に記載の発明は、請求項１に記載の発明において、収納ケースの電気配線収納部下面に水抜き穴を設けたものであり、万が一、電気配線等の発汗により水分が電気配線収納部に侵入しても水抜き穴から収納ケース外に排水でき、信頼性が向上する。
【００１９】
請求項１１に記載の発明は、請求項１に記載の発明において、冷蔵庫本体から収納ケースの電気配線収納部底面を連通して電気配線を延出させたものであり、収納ケースでの切欠き部を低減でき、収納ケースのシール性が向上する。
【００２０】
【発明の実施の形態】
以下、本発明による冷蔵庫の一実施の形態について、図面を参照しながら説明する。
【００２１】
（実施の形態１）
図１は本発明の実施の形態１による冷蔵庫の概略背面図、図２は同実施の形態の冷蔵庫の電装部品収納部の構成図、図３は同実施の形態の冷蔵庫の電装部品収納部に用いるシール材概略図、図４は同実施の形態の冷蔵庫の電装部品収納部に用いるカバーを内側から見た正面図、図５は図４のＡ−Ａ断面図、図６は同実施の形態の冷蔵庫の電装部品収納部に用いる収納ケースの斜視図、図７は同実施の形態の冷蔵庫の電装部品収納部に用いるカバーを外側から見た斜視図、図８は図６のＢ−Ｂ断面図、図９は同実施の形態の冷蔵庫の電装部品収納部の収納ケースと制御基板と電気配線の構成図である。
【００２２】
図１、２において、冷蔵庫本体１１の背面下部に機械室１２が構成され圧縮機１３と電装部品収納部１４を有している。電装部品収納部１４は、樹脂成形品の収納ケース１５を有し、内部を制御基板１６を収納する基板収納部１７と電気配線を収納する電気配線収納部１８とに区画している。シール材１９は制御基板１６を収納する基板収納部１７の周縁部をシールするものでカバー２０に貼り付けられている。
【００２３】
また、図３に示すように、シール材１９は難燃性で独立気泡体からなる弾性部材からなる。
【００２４】
また、図４，５に示すように、カバー２０に、シール材１９を貼り付ける時の位置決め用の突起部２１を設け、突起部２１に沿ってシール材１９を貼り付ける。このとき、シール面を構成するシール材１９は複数の直方体形状とし、シール面の屈曲部２２は直方体シール材１９ａを突き合わせて配置させている。なお、シール材１９の幅は基板収納部１７の周縁部をシールする面よりも広くしている。
【００２５】
また、図６，７、８に示すように、収納ケース１５の周縁部にはカバー２０を固定するための固定手段としての複数のビス２３を受けるためのビス受け部２５、およびビス穴２４を有し、ビス受け部２５はシール材１９を貼り付けるシール面２６よりも外周縁に設けている。また、ビス受け部２５はシール材１９を貼り付けるシール面２６より数ｍｍ高い台座形状としている。
【００２６】
また、図９に示すように、収納ケース１５には、切欠き部２８と、収納ケース１５の基板収納部１７の切欠き部２９を有し、冷蔵庫本体１１から収納ケース１５および基板収納部１７に延出する電気配線２７が前記切欠き部２８、２９を介して制御基板１６に取り外し自在に連結している。そして、収納ケース１５の切欠き部２８および基板収納部１７の切欠き部２９はそれぞれ収納ケース１５の上面のみに形成している。
【００２７】
また、前記切欠き部２８、２９を通過する電気配線２７の周囲にはそれぞれシール材としての難燃性ウレタンフォーム３１、３２を巻いている。
【００２８】
また、収納ケース１５の電気配線収納部１８の下面には水抜き穴３０を設けている。
【００２９】
上記構成により、制御基板１６は、プリント基板上に多くの電子部品を装着し冷蔵庫の制御回路を構成するものであるが、これを開放空間に配設すると、小型の部品を密装しているため、埃の付着や虫の侵入により回路がショートし冷蔵庫の運転制御に支障をきたす。これを防止するため収納ケース１５とカバー２０で構成されるような閉空間に配設するのが一般的であるが、収納ケース１５を装着する冷蔵庫本体の機械室１２近傍の変形や収納ケース１５あるいはカバー２０自体の成形ばらつき等により収納ケース１５とカバー２０の嵌合部に隙間ができやすい。しかし、収納ケース１５とカバー２０の嵌合部にシール材１９が介在しているので嵌合部の隙間は埋められる。したがって、万が一、可燃性冷媒が漏洩した場合でも着火源となりうる基板収納部１７への侵入は防がれる。そして収納ケース１５を、制御基板１６を収納する基板収納部１７と電気配線を収納する電気配線収納部１８とに区画しているので、基板収納部１７への可燃性冷媒侵入の機会を減らすことができ安全性が高まる。
【００３０】
なお、収納ケース１５を箱型の部品として説明したが、冷蔵庫本体機械室１２に凹部を一体形成したものであってもよい。
【００３１】
また、カバー２０は、電装部品の温度上昇を抑制するため、熱伝導性のよい金属製が望ましい。
【００３２】
また、シール材１９は難燃性で独立気泡体からなる弾性部材としているので、気体透過性を低くできるとともに、ひずみ・変形等のばらつきを弾性部材が吸収してシール性が向上し安全性がさらに高まる。
【００３３】
また、カバー２０に、シール材１９を貼り付ける時の位置決め用の突起部２１を設け、突起部２１に沿ってシール材１９を貼り付けることにより、カバー２０側の広い平面部を貼り付け代に利用することで、基板収納部１７の外周とカバー２０との嵌合部のずれを吸収でき安全性がさらに高まる。さらに、カバー２０に位置決め用の突起部２１を設けているので、シール材１９の貼り付け時の位置決めがしやすく、作業効率が向上する。
【００３４】
また、シール面を構成するシール材１９は複数の直方体形状とし、シール面の屈曲部２２は直方体シール材１９ａを突き合わせて配置させているので、屈曲部にシワや隙間が生じることなく確実なシール面を確保できる。また、シール材１９を抜き型等で専用に作成する必要がなく、標準寸法品を使用できるのでコストを低くすることが可能となる。また、１本の長いシール材１９を用いると、シール面の屈曲部が変形しシワなどが生じ、シール材の厚みがばらついてしまうが、直方体シール材１９ａを突き合わせて配置させることで上記問題も生じない。
【００３５】
また、収納ケース１５の周縁部にはカバー２０を固定するための固定手段としての複数のビス２３を受けるためのビス受け部２５、およびビス穴２４を有し、ビス受け部２５はシール材１９を貼り付けるシール面２６の外周に設けているので、固定手段であるビス２３によりシール材を破損してしまうことがなく、確実なシール面を確保できる。
【００３６】
また、ビス受け部２５はシール材１９を貼り付けるシール面２６より数ｍｍ高い台座形状としているので、収納ケース１５とカバー２０の間に均一なクリアランスを形成することができ、シール材１９を最適な圧縮率で使用することができ、シール信頼性が向上する。
【００３７】
また、収納ケース１５には、切欠き部２８と、収納ケース１５の基板収納部１７の切欠き部２９を有し、冷蔵庫本体１１から収納ケース１５および基板収納部１７に延出する電気配線２７が前記切欠き部２８、２９を介して制御基板１６に取り外し自在に連結し、切欠き部２８、２９を通過する電気配線２７の周囲にはそれぞれシール材としての難燃性ウレタンフォーム３１，３２を巻いているので、電気配線２７が収納ケース１５あるいは基板収納部１７の外周切欠き部２８、２９を通り、横切る場合においても収納ケース１５とカバー２０との間にシール面を形成することができ、収納ケース１５内のシール信頼性が向上する。
【００３８】
また、収納ケース１５の切欠き部２８および基板収納部１７の切欠き部２９はそれぞれ収納ケース１５の上面（鉛直面）に形成しているので、可燃性冷媒は空気よりも比重が重く、冷媒が漏洩した場合においても、隙間が生じやすい切り欠き部からの侵入機会を低減できる。
【００３９】
また、収納ケース１５の電気配線収納部１８の下面には水抜き穴３０を設けているので、万が一、電気配線２７等の発汗により水分が電気配線収納部１８に侵入しても水抜き穴３０から収納ケース外に排水でき、信頼性が向上する。
【００４０】
なお、本実施の形態ではカバー２０に、シール材１９を貼り付ける時の位置決め用の突起部２１を設け、突起部２１に沿ってシール材１９を貼り付けるもので説明したが、カバ−２０の内側のシール材１９を貼り付ける部分に凹部を設け、前記凹部内に沿ってシール材１９を貼り付けてもよい。この場合、シール材１９の貼り付け位置が確実になるとともに、凹部形状を形成することで、カバー２０自体の強度を向上でき、変形、ひずみが小さくなり、密閉性に対する構造的精度を高くすることができる。また、カバー２０の強度が向上するので、カバー２０の材料の厚みを小さくでき低コスト化を図ることができる。
【００４１】
また、冷蔵庫本体１１から収納ケース１５および基板収納部１７に延出する電気配線２７が前記切欠き部２８、２９を介して制御基板１６に取り外し自在に連結したもので説明したが、冷蔵庫本体１１から収納ケース１５の電気配線収納部１８の底面を連通して電気配線２７を延出させたものでもよい。この場合、収納ケース１５での切欠き部２８が不要となり、収納ケース１５のシール性が向上し、安全性が向上する。
【００４２】
【発明の効果】
以上説明したように請求項１に記載の発明は、可燃性冷媒を封入した冷蔵庫において、冷蔵庫を運転制御する電装部品を収納する収納ケースを、制御基板を収納する基板収納部と電気配線を収納する電気配線収納部とに区画するとともに、前記収納ケースを覆うカバーを有し、前記基板収納部外周と前記カバーとの間にシール材を設けたものであり、前記基板収納部外周と前記カバーとの嵌合部のひずみ・変形等のばらつきを前記シール材が吸収し、万が一、可燃性冷媒が漏洩した場合でも着火源となりうる基板収納部への侵入は防がれる。そして収納ケースを制御基板を収納する基板収納部と電気配線を収納する電気配線収納部とに区画しているので、基板収納部への可燃性冷媒侵入の機会を減らすことができ安全性が高まる。
【００４３】
また、請求項２に記載の発明は、請求項１に記載の発明において、シール材は難燃性で独立気泡体からなる弾性部材としたものであり、気体透過性を低くできるとともに、ひずみ・変形等のばらつきを弾性部材が吸収し、安全性がさらに高まる。
【００４４】
また、請求項３に記載の発明は、請求項１または請求項２に記載の発明において、シール材をカバー側に設けたものであり、カバー側の広い平面部を貼り付け代に利用することで、基板収納部外周とカバーとの嵌合部のずれを吸収でき安全性がさらに高まる。
【００４５】
また、請求項４に記載の発明は、請求項３に記載の発明において、シール材を貼り付けるカバーに位置決め用の突起部を設けたものであり、シール材の貼り付け時の位置決めがしやすく、作業効率が向上する。
【００４６】
また、請求項５に記載の発明は、請求項１から請求項４のいずれか一項に記載の発明において、シール面を構成するシール材は複数の直方体からなり、シール面の屈曲部は直方体シール材を突き合わせて配置するものであり、屈曲部にシワや隙間が生じることなく確実なシール面を確保できる。
【００４７】
また、請求項６に記載の発明は、請求項１から請求項５のいずれか一項に記載の発明において、収納ケースを覆うカバーの固定手段をシール材よりも外周縁に設けたものであり、固定手段によりシール材を破損してしまうことがなく、確実なシール面を確保できる。
【００４８】
また、請求項７に記載の発明は、請求項６に記載の発明において、カバーの固定手段は複数のビスとし、収納ケースのビス受け部を台座形状としたものであり、収納ケースとカバーの間に均一なクリアランスを形成することができ、シール材を最適な圧縮率で使用することができ、シール信頼性が向上する。
【００４９】
また、請求項８に記載の発明は、請求項１から請求項７のいずれか一項に記載の発明において、冷蔵庫本体から収納ケース内に延出する電気配線の冷蔵庫本体との連通部と、収納ケース切り欠き部とに配置する電気配線の外周にそれぞれシール材を設けたものであり、電気配線が収納ケース外周を横切る場合においても収納ケースとカバーとの間にシール面を形成することができ、収納ケース内のシール信頼性が向上する。
【００５０】
また、請求項９に記載の発明は、請求項８に記載の発明において、収納ケース切り欠き部は収納ケースの上面に設けたものであり、可燃性冷媒は空気よりも比重が重いので、冷媒が漏洩した場合においても、隙間が生じやすい切り欠き部からの侵入機会を低減できる。
【００５１】
また、請求項１０に記載の発明は、請求項１に記載の発明において、収納ケースの電気配線収納部下面に水抜き穴を設けたものであり、万が一、電気配線等の発汗により水分が電気配線収納部に侵入しても水抜き穴から収納ケース外に排水でき、信頼性が向上する。
【００５２】
また、請求項１１に記載の発明は、請求項１に記載の発明において、冷蔵庫本体から収納ケースの電気配線収納部底面を連通して電気配線を延出させたものであり、収納ケースでの切欠き部を低減でき、収納ケースのシール性が向上する。
【図面の簡単な説明】
【図１】本発明による冷蔵庫の実施の形態１の概略背面図
【図２】同実施の形態の冷蔵庫の電装部品収納部の構成図
【図３】同実施の形態の冷蔵庫の電装部品収納部に用いるシール材概略図
【図４】同実施の形態の冷蔵庫の電装部品収納部に用いるカバーを内側から見た正面図
【図５】図４のＡ−Ａ断面図
【図６】同実施の形態の冷蔵庫の電装部品収納部に用いる収納ケースの斜視図
【図７】同実施の形態の冷蔵庫の電装部品収納部に用いるカバーを外側から見た斜視図
【図８】図６のＢ−Ｂ断面図
【図９】同実施の形態の冷蔵庫の電装部品収納部の収納ケースと制御基板と電気配線の構成図
【図１０】従来の冷蔵庫の縦断面図
【図１１】従来の冷蔵庫の要部拡大図
【図１２】従来の冷蔵庫の外箱・後板・箱体の構成を示す分解図
【符号の説明】
１１　冷蔵庫本体
１５　収納ケース
１６　制御基板
１７　基板収納部
１８　電気配線収納部
１９　シール材
２０　カバー
２１　突起部
２２　屈曲部
２３　ビス
２５　ビス受け部
２６　シール面
２７　電気配線
２８、２９　切欠き部
３０　水抜き穴
３１、３２　ウレタンフォーム
【図１】
2004125210.tif 000003
【図２】
2004125210.tif 000004
【図３】
2004125210.tif 000005
【図４】
2004125210.tif 000006
【図５】
2004125210.tif 000007
【図６】
2004125210.tif 000008
【図７】
2004125210.tif 000009
【図８】
2004125210.tif 000010
【図９】
2004125210.tif 000011
【図１０】
2004125210.tif 000012
【図１１】
2004125210.tif 000013
【図１２】
2004125210.tif 000014